(57)【特許請求の範囲】
【請求項１】
一方の管の端部に形成された受口の内部に他方の管の端部に形成された挿口を挿入した後、前記受口内面のロックリング収納溝に前記受口外面から貫通孔を通じてロックリングを挿入するようにした離脱防止継手のロックリング挿入装置において、該ロックリング挿入装置のロックリング係合部から前記貫通孔との間を充足する長さのロッド状部材であって、前記ロックリング末端と対面する端部に、前記ロックリング末端に形成された階段状接続部と重なり合う段部が形成され、厚さ方向に互いに重ねられる接合段部には厚さ方向に貫く貫通孔が共通軸線に沿って穿設され、該貫通孔に貫通されて締結されるねじによって前記ロッド状部材が前記ロックリング末端に着脱自在に取付けられるようにされた離脱防止継手のロックリング挿入具。
【発明の詳細な説明】
【０００１】
【発明の属する技術分野】
この発明は、離脱防止継手のロックリング挿入具に関する。
【０００２】
【従来の技術】
老朽管の更正手段として、老朽管路を鞘管とし、その管内に新管を推進工法で順次挿入し敷設する既設管更正工法、いわゆるパイプインパイプ工法が知られている。
【０００３】
このような工法に採用される管継手として、たとえば図７に示すように受口１の内周に形成したロックリング収納溝２にロックリング３を装着するとともに、挿口５の外周に一定の軸方向巾を有する周方向の係合溝６を形成し、この係合溝６にロックリング３を位置させるようにし、セットボルト８を締付けてロックリング３を係合溝６内に位置するようにした離脱防止構造の耐震継手１０がある。
【０００４】
このような構成であると、係合溝６の受口開口側内壁にロックリング３が当たる位置まで挿口５の入り込みが可能であるとともに、受口奥側の内壁にロックリング３が係り合うまで受口１からの挿口５の抜け出しが可能となり、係合溝６の軸方向巾の範囲の伸縮しろができ、耐震性能が付与される。
【０００５】
なお、図７において４はシール用ゴム輪を示し、受口１内面の収納溝１ａに配置され、収納溝１ａに形成した突起１ｂにシール用ゴム輪４の凹部４ａを嵌合させることにより挿口５の挿入時に受口１奥方へ押し込まれてしまわないように保持されている。
【０００６】
ところで、上記耐震継手１０において、ロックリング収納溝２部分の管の肉厚ｔが局部的に薄くなって強度が低下するのを防止し、大地震時などにロックリング３から加わる強大な力に屈して受口開口端が例えばラッパ状に変形してしまうといった事故を防止するため、図８に示すように受口１内面に形成されるロックリング収納溝２の深さｄを、前記ロックリング３を収納した時にその内径ｒが挿口外径Ｒよりも小さくなり得るように浅く成形し、ロックリング収納部の肉厚を厚くして強度を増すことが考えられている。
【０００７】
ところが、このようにすると、ロックリング収納溝２の深さが浅いのでロックリング３を嵌め込んだ状態では挿口５の外径Ｒがロックリング３の内径ｒより大きいため挿入が不可能となる。
【０００８】
そこで、前記受口１外側面より前記ロックリング収納溝２に連通する貫通孔７を前記受口１の接線方向に沿って貫設し、ロックリング３のない状態で挿口５を受口１に挿入後、受口１の外側面から前記貫通孔７を通じ前記挿口５の係合溝６に向かい合ったロックリング収納溝２にロックリング構成部材３を挿入可能とし、ここから挿入したロックリング構成部材３を最終的にセットボルト８…で締め付けるようにし、３ＤｋＮ（０．３Ｄｔｆ、Ｄ：呼び径）の離脱防止力を発揮し得るようにした既設管更正工法用耐震継手が提案されている。
【０００９】
【発明が解決しようとする課題】
ところがロックリングは、通常、鋼製とされているのでロックリング収納溝２に沿わせて挿入していくのに強大な力を要し、例えば、油圧装置などを用いたロックリング挿入装置が必要となるが、このような挿入装置でロックリングを挿入しようとしたとき、前記装置のロックリングを挿入支持部の挿入行程死点位置と管受口外面のロックリング挿入孔位置との間には、必ずある距離が延在し、これが挿入不能部分となって、一周長の長さに決められたロックリング３の全長をロックリング収納溝内に挿入することは出来なくなる。
【００１０】
すなわち、上記ある距離の長さだけロックリング３が貫通孔７からはみ出た状態となり、これを収納溝内に収めるには、はみ出たロックリング３の末端を、作業員が管外面側からハンマーなどで叩き、ロックリング収納溝へと叩き込むといった手段を取らざるを得ない。
【００１１】
しかし、この叩き込み作業は、管頂部に立ちあがってせざるを得ない場合もあって危険かつ面倒な作業となり、手間もかかるといった問題があった。
この発明は、上記問題を解消し、受口外側面からロックリングを挿入する場合に、最終端のはみ出た部分も安全確実に挿入することを課題としてなされたものである。
【００１２】
【課題を解決するための手段】
この発明の離脱防止継手のロックリング挿入具は、一方の管の端部に形成された受口の内部に他方の管の端部に形成された挿口を挿入した後、前記受口内面のロックリング収納溝に前記受口外面から貫通孔を通じてロックリングを挿入するようにした離脱防止継手のロックリング挿入装置において、該ロックリング挿入装置のロックリング係合部から前記貫通孔との間を充足する長さのロッド状部材であって、前記ロックリング末端と対面する端部に、前記ロックリング末端に形成された階段状接続部と重なり合う段部が形成され、厚さ方向に互いに重ねられる接合段部には厚さ方向に貫く貫通孔が共通軸線に沿って穿設され、該貫通孔に貫通されて締結されるねじによって前記ロッド状部材が前記ロックリング末端に着脱自在に取付けられるようにされたものである。
【００１３】
従って、この発明の離脱防止継手のロックリング挿入補助具によれば、あらかじめロックリングの最終端部に接合段部を重ねてねじにより固定すれば、挿入具でロックリング部材を挿入するのと全く同じ状態でロックリング末端まで収納溝へと挿入でき、また、挿入後にとり外す場合も、ロックリング挿入用の貫通孔を利用して、前記ねじを取り外すことにより簡単に離脱防止継手のロックリング挿入具を回収できる。
【００１４】
【発明の実施の形態】
次に、この発明の実施の形態である離脱防止継手のロックリング挿入具について説明する。
【００１５】
図１は、この発明の実施の形態である離脱防止継手のロックリング挿入具の正面図、図２は離脱防止継手のロックリング挿入具を接合した状態での、図１のＡ−Ａ線断面図、図３は離脱防止継手のロックリング挿入装置の正面図、図４、図５は使用状態説明図である。
【００１６】
なお、図３〜図５において、図７、図８に示した符号と同じ符号で示す部材は同一又は相当する部材を示すため詳細な説明は省略する。
図１において、３１は離脱防止継手のロックリング挿入具を示し、ロックリング３と同大断面とされた棒状体をなす。なお、材質はロックリング３の挿入時の負荷に耐え得る強度の鋼製などとされる。
【００１７】
このロックリング挿入具３１の長さは、図４に示すロックリング挿入装置の挿入行程死点位置から貫通孔７位置までの長さＬ以上の長さとされ、一端には、端面を階段状に切断した接合用段部３２が形成され、さらにこの接合用段部３２の延出片３３には貫通孔３４が形成されている。この階段状の接合段部３２はロックリング３の最終端に形成された接合用段部３ｂと接合できる段部とされ、また皿ねじ３６とねじ嵌合するねじ孔３ｃが穿設されている。
【００１８】
なお、この貫通孔３４の内面は図２に示すようにテーパー加工３５がされ、皿ねじ３６を挿通したときにねじ頭３７が延出片３３の表面３３と面一となるようにされている。
【００１９】
次に、離脱防止継手のロックリング挿入具３１の使用状態を説明する。
図８に示したように、管受口１にシール用ゴム輪４を挿入した後、接続すべき管の挿口５を挿入して接続する。
【００２０】
次いで、図３、図４に示すように受口１外周に開設されたロックリング挿通用の貫通孔７上に、ロックリング挿入装置を取りつける。
このロックリング挿入装置は、ロックリング３の案内ロール１６、ベアリングロール１７、１７を備えた湾曲基枠１１を有し、この湾曲基枠１１は、受口１外周面にセットボルト用ねじ孔１４、１４を利用して取付けボルト１５、１５で固定出来るようにされている。
【００２１】
また、湾曲基枠１１には移動子１９が周方向に走行自在に支持されている。すなわち、湾曲基枠１１にはガイドレール１１ａが形成され、ガイドレール１１ａ、１１ａ間の溝１１ｂに移動子１９の車輪１８が嵌入され、車輪１８は上下何れかのガイドレール１１ａ、１１ａに沿って走行するようにされている。
【００２２】
また、車輪１８は、ガイドレール１１ａより径方向に立ち上がる基板１９ａの基部に軸支され基板１９ａはガイドレール１１ａに沿って往復移動できるようにされている。
【００２３】
基板１９ａの側面には、受口１の管軸と平行な軸２０ｂ周囲に偏心カム２０が回動自在に軸支され、ロックリング３側の先端２０ａがロックリング３外面に接触するように軸支されている。
【００２４】
そして、偏心カム２０の軸２０ｂを挟んだ外周後端側に枢支点２０ｃを介して油圧ジャッキ２１の一端が連接されている。
油圧ジャッキ２１の他端は、湾曲基枠１１に形成したブラケット２２にピン２２ａにより取り付けられており、図の二点鎖線で示すように油圧ジャッキ２１の出没作動により、偏心カム２０及び移動子１９がガイドレール材１１ａに沿って往復駆動されるようにされている。
【００２５】
偏心カム２０は、油圧ジャッキ２１の没行程時（図の右方向移動時）、枢支点２０ｃと軸２０ｂとの間を腕とする遇力により、前記ガイドレール１１ａ上のロックリング３表面に強く圧接し、移動子１９と共に移動し、逆方向の出行程時は、枢支点２０ｃと軸２０ｂとの間を腕とする逆方向の遇力により開放し、移動子１９だけが復帰するようにされている。
【００２６】
油圧ジャッキ２１は、図外の油圧装置から、油圧ポート２１ａ、２１ｂに加えられる油圧により出没作動されるようにされている。
このようなロックリング挿入装置を、受口外周に取付けた後、円周状に湾曲させた一つ割りのロックリング３を、偏心カム２０の外周先端２０ａとガイドレール１１ａ表面との間を通しベアリングロール１７、１７から案内ロール１６へと設置する。
【００２７】
そして、油圧ジャッキ２１のピストンロッドを突き出させ、移動子１９を湾曲基枠１１ａ上で最も貫通孔７から遠い位置に移動させる。
次いで、油圧を切り替え、ピストンロッドを没入させる。
【００２８】
この没入に伴い、移動子１９も貫通孔７方向へ移動し、その移動距離分だけ受口のロックリング収納溝２内へと挿入されていく。
このとき、ロックリング３は摩擦軽減のベアリングロール１７、１７によって滑らかに貫通孔方向へ進み、案内ロール１６によって貫通孔７へと向きを変えられ、ロックリング収納溝２内へと送り込まれていく。
【００２９】
油圧ジャッキ２１の没入行程が終われば、再び油圧回路が切り替わってピストンロッドが突き出される。これにより移動子１９は元の位置へ向け移動子始め、偏心カム２０もロックリング３に対する圧接関係から解かれ、移動子１９と共に元の位置に復帰するが、復帰開始の挿入死点に達したとき図４に示すように油圧ジャッキ２１の位置から貫通孔７までＬだけの距離が残り、この長さＬは挿入不能な延在部分となる。
【００３０】
そこで、ロックリング３の挿入が進み、一周間近となったとき図１、図５に示すようにロックリング挿入補助具３１をロックリング３の後端部に延長して配置し、接合段部３３をロックリング３後端の接合用段部３ｂに接合し、皿ねじ３６で固定しそのままの状態で挿入作動を継続するのである。
【００３１】
したがって、図４に示すように長さＬの挿入不能部分があっても、ロックリング３は、図６に示すように終端まで確実にロックリング収納溝２へと挿入されていく。
【００３２】
そして図６に示したように、ロックリング３を挿入後は、ロックリング挿入補助具３１を止着している皿ねじ３６を貫通孔７の開口部を利用して取り外す。
したがって、ロックリング３はロックリング収納溝に沿って過不足なく挿入される。
【００３３】
以後は、湾曲基枠１１を取り外し、セットボルト８を締結すれば、耐震管の接合作業は終了するのである。
【００３４】
【発明の効果】
以上説明したように、この発明の離脱防止継手のロックリング挿入補助具によれば、ロックリング収納溝の深さを従来に比べ浅くし、受口の強度を強くした構造の継手部における受口にその外周からロックリング部材を挿入する場合、ロックリング挿入装置のつかみ部から貫通孔までの間に挿入不能部分が存在していても、挿入補助具の取付けによって確実に挿入ができ、しかも、挿入補助具はロックリング後端と接合段部で接合し、半径方向外面からねじで止める構造とされているので、挿入完了後、受口外面に形成された貫通孔を利用して受口外面からねじを容易に取り外すことができ、作業が非常に容易となる。
【図面の簡単な説明】
【図１】この発明の実施の形態である離脱防止継手のロックリング挿入具の正面図である。
【図２】離脱防止継手のロックリング挿入具を接合した状態での、図１のＡ−Ａ線断面図である。
【図３】ロックリング挿入装置の要部拡大断面図である。
【図４】ロックリング挿入装置における挿入不能部分の説明断面図である。
【図５】離脱防止継手のロックリング挿入具の使用状態を示す説明断面図である。
【図６】離脱防止継手のロックリング挿入具の使用状態を示す説明断面図である。
【図７】耐震管継手の説明断面図である。
【図８】他の耐震管継手の説明断面図である。
【符号の説明】
１    受口
２    ロックリング収納溝
３    ロックリング
３ｂ  ロックリング部材の後端に設けられた接合段部
３ｃ  ねじ孔
７    ロックリング部材の挿入用貫通孔
１１    湾曲基枠
１１ａ  ガイドレール
１８    車輪
１９    移動子
２０    偏心カム
２１    油圧ジャッキ
３１    離脱防止継手のロックリング挿入具
３２    接合用段部
３３    延出片
３４    貫通孔
【図１】
0003963689.tif 000002
【図２】
0003963689.tif 000003
【図３】
0003963689.tif 000004
【図４】
0003963689.tif 000005
【図５】
0003963689.tif 000006
【図６】
0003963689.tif 000007
【図７】
0003963689.tif 000008
【図８】
0003963689.tif 000009